(57)【要約】【課題】  メモリカード、ストレージメディア等の画像データの追加、削除等を行った場合でも、メディアに格納された画像データの選択を間違いなく行ない印刷出力することが出来、確認のための再度のインデックスプリント出力を不要にする。【解決手段】  印字出力する画像の指定を年月日時分秒により指定する。【選択図】  図１
2006203770.tif 000002
【特許請求の範囲】
【請求項１】
メモリカードインターフェイスを備えた画像記録装置であって、該メモリカードインターフェイスに接続されたメモリ内の画像データの近傍に年月日時分秒の数値を印字しつつ、複数枚の画像データを１枚の記録紙に印字出力した後、印字出力する画像データの持つ年月日時分秒の情報の数値の全て或いは一部の入力により指定して該画像データを印字出力することを特徴とする画像記録装置。
【請求項２】
同一の秒の画像データがメモリカードに含まれる場合には識別する番号を付加することにより画像データを指定することを特徴とする請求項１記載の画像記録装置。
【請求項３】
画像を指定した時に画像表示器に該画像を表示して確認してから印字出力することを特徴とする請求項１記載の画像記録装置。
【請求項４】
ストレージデバイスを接続するインターフェイスを備え、メモリカードインターフェイスを備えた画像記録装置であって、該メモリカードインターフェイスに接続されたメモリ内の画像データの近傍に年月日時分秒の数値を印字しつつ、年月日時分秒の順に複数枚を１枚の記録紙に印字出力した後、印字出力する画像データの持つ年月日時分秒の情報の数値の全て或いは一部の入力により指定して該画像データを印字出力することを特徴とする画像記録装置。
【請求項５】
同一の秒の画像データがメモリカードに含まれる場合には識別する番号を付加することにより画像データを指定することを特徴とする請求項４記載の画像記録装置。
【請求項６】
画像を指定した時に画像表示器に該画像を表示して確認してから印字出力することを特徴とする請求項４記載の画像記録装置。
【発明の詳細な説明】
【技術分野】
【０００１】
メモリカード、ストレージメディア等に格納された画像データを印字出力する画像記録装置に関する。
【背景技術】
【０００２】
図４は従来例を示す図、図５は従来例において画像データを印字出力する際のフロー図、図６は従来例におけるインデックスプリントの例を示す図である。これらに従って従来の画像データの記録動作の説明を行う。
【０００３】
図４において４０１は操作部、４０２は装置全体の制御、画像処理等を行う制御部、４０３は画像を印字出力する記録部、４０４はメモリカードを接続するメモリカードインターフェイスである。
【０００４】
図６はインデックスプリントの出力の例であり、本図において外側の矩形は記録用紙を示し、内側の矩形は縮小印字された画像データを示す。各々の画像データの下方に記された番号はその画像データを指定するためのインデックス番号である。
【０００５】
初めにデジタルカメラ等から格納された画像を含むメモリカードをセットする（ステップ５０１）、次に操作部４０１に対してインデックスプリントを出力する操作を行う（ステップ５０２）、その指示を受け制御部４０２において図６のインデックスプリントの画像を生成し、記録部４０３でインデックスプリントを出力する（ステップ５０３）。次に操作者は操作部４０１を操作し印字する画像を選択する（ステップ５０４）。画像を選択する方法は、ステップ５０３で出力したインデックスプリントに示されたインデックス番号を入力することにより行う。続いて操作者は操作部４０１を操作して画像を出力する操作を行う（ステップ５０５）。その指示を受けて制御部４０２においてステップ５０６からステップ５１０の一連の処理を行う。処理は次の様に行う。メモリカードインターフェイス４０４を介して画像データを取り込む（ステップ５０６）。次に取り込んだ画像データのフォーマットの解析を行う（ステップ５０７）。フォーマットの解析とは画像サイズ等のＤＣＦ（Design rule for Camera File system）の設定値の内容の取得等を行う。次に画像データの復号化処理を行う（ステップ５０８）。復号化処理とはＪＰＥＧ等の符号化方式により圧縮された画像データを復号する処理である。次に変倍処理を行う（ステップ５０９）。変倍の倍率は画像データの画素数と記録部の画素数の比率である。次に記録部４０３のフォーマットに変換を行う（ステップ５１０）。最後に記録部４０３で記録動作を行って完了する（ステップ５１１）。
【０００６】
又、別の従来例としては、特許文献１をあげることが出来る。
【特許文献１】特開平11-136608号公報
【発明の開示】
【発明が解決しようとする課題】
【０００７】
しかしながら従来の例においてはメモリカード、ストレージメディア等の画像データの追加、削除等を行った場合、再度インデックスプリントを出力する必要がある欠点があった。
【課題を解決するための手段】
【０００８】
メモリカード、ストレージメディア等に格納された画像データを年月日時分秒で指定する。
【発明の効果】
【０００９】
本発明によれば印字出力する画像の指定を年月日時分秒により指定することにより、メモリカード、ストレージメディア等に格納された画像データの選択を間違いなく行うことが出来る効果がある。
【００１０】
またメモリカード、ストレージメディア等に格納された画像データが追加、削除された場合でも最終のインデックスプリントを参照しなくても画像データを指定することが可能である。
【発明を実施するための最良の形態】
【００１１】
図１は本発明を示す図、図３は本発明において画像データを印字出力する際のフロー図、図７は本発明におけるインデックスプリントの例を示す図である。これらに従って本発明における画像データの記録動作の説明を行う。
【００１２】
図１において１０１は操作部、１０２は装置全体の制御、画像処理等を行う制御部、１０３は画像を印字出力する記録部、１０４はメモリカードを接続するメモリカードインターフェイスである。
【００１３】
図７はインデックスプリントの出力の例であり、本図において外側の矩形は記録用紙を示し、内側の矩形は縮小印字された画像データを示す。各々の画像データの下方に記された番号はその画像データを指定するための該画像データの持つ年月日時分秒の数値である。
【００１４】
初めにデジタルカメラ等から格納された画像を含むメモリカードをセットする（ステップ３０１）、次に操作部１０１に対してインデックスプリントを出力する操作を行う（ステップ３０２）、その指示を受け制御部１０２において図７のインデックスプリントの画像を生成し、記録部１０３でインデックスプリントを出力する（ステップ３０３）。インデックスプリントの各画像の近傍に年月日時分秒の数値が印字される。次に操作者は操作部１０１を操作し印字する画像を選択する（ステップ３０４）。画像を選択する方法は、画像データのタイムスタンプもしくはデジタルカメラで撮影した画像データであればＤＣＦの年月日時分秒の情報に基づいて入力することにより行う。例えば２００３年１２月２６日１７時４８分３０秒に撮影された画像データであれば２００３１２２６１７４８３０或いは０３１２２６１７４８３０の様に年月日時分秒の全部或いは一部の数字で指定する。この数値はインデックスプリントの各画像の近傍の数値と同じである。
【００１５】
続いて操作者は操作部１０１を操作して画像を出力する操作を行う（ステップ３０５）。その指示を受けて制御部１０２においてステップ３０６からステップ３１０の一連の処理を行う。処理は次の様に行う。メモリカードインターフェイス１０４を介して画像データを取り込む（ステップ３０６）。次に取り込んだ画像データのフォーマットの解析を行う（ステップ３０７）。フォーマットの解析とは画像サイズ等のＤＣＦの設定値の内容の取得等を行う。次に画像データの復号化処理を行う（ステップ３０８）。復号化処理とはＪＰＥＧ等の符号化方式により圧縮された画像データを復号する処理である。次に変倍処理を行う（ステップ３０９）。変倍の倍率は画像データの画素数と記録部の画素数の比率である。次に記録部１０３のフォーマットに変換を行う（ステップ３１０）。最後に記録部１０３で記録動作を行って完了する（ステップ３１１）。
【００１６】
また、ステップ３０２の印字画像選択時に同一の秒の画像データが存在する場合、−１、−２の番号を末尾に付けて識別することも出来る。
【００１７】
（例）２００３１２２６１７４８３０−１
また、ステップ３０２の印字画像選択時に選択された画像を画像表示部に表示させて確認後に次のステップに進めても良い。
【００１８】
（他の実施例）
図２は他の実施例の構成を示す図であり、２０１はUSBインターフェイスである。
【００１９】
USBインターフェイス２０１にＣＤＲＯＭドライブ、ＤＶＤドライブ、ＭＯドライブ等のストレージデバイスを接続し、夫々ＣＤＲＯＭメディア、ＤＶＤメディア、ＭＯメディア等に対しても第１の実施例と同様に画像データを指定して印字出力することが出来る。
【００２０】
また、インターフェイスはＵＳＢに限定するものではない。
【図面の簡単な説明】
【００２１】
【図１】本発明の第１の実施例を示す図。
【図２】本発明の第２の実施例を示す図。
【図３】本発明の第１の実施例のフロー図。
【図４】従来例を示す図。
【図５】従来例のフロー図。
【図６】従来のインデックスプリントのフォーマットを示す図。
【図７】本発明のインデックスプリントのフォーマットを示す図。
【符号の説明】
【００２２】
１０１  操作部
１０２  制御部
１０３  記録部
１０４  メモリカードインターフェイス
【図１】
2006203770.tif 000003
【図２】
2006203770.tif 000004
【図３】
2006203770.tif 000005
【図４】
2006203770.tif 000006
【図５】
2006203770.tif 000007
【図６】
2006203770.tif 000008
【図７】
2006203770.tif 000009